(57)【要約】  いくつかの実施形態では、遠隔制御可能テレビが、遠隔制御装置内のレーザーから光エネルギーを受け取ってこの光エネルギーを電気エネルギーに変換するエネルギー変換器を備える。遠隔制御コードインタプリタが、遠隔制御装置から電源オンコードを受け取る。エネルギー変換器からの電気エネルギーを使用して、遠隔制御コードインタプリタに電力を供給する。他の実施形態は、この要約書で説明した特徴から逸脱する可能性があるので、この要約書を限定的なものと考えるべきではない。【選択図】      図１
2012531174.tif 000002
【特許請求の範囲】
【請求項１】
ユーザにより作動可能な電源オンスイッチと、
ユーザが前記電源オンスイッチを作動させたことに応答して、レーザー光をオンにするレーザー光源と、
ユーザが前記電源オンスイッチを作動させたことに応答して、電源オンコードを生成するコード生成器と、
を備え、これにより前記コード生成器と前記レーザー光源が共同して、被制御装置をオンにする、
ことを特徴とする電子機器用遠隔制御装置。
【請求項２】
前記ユーザが前記電源オンスイッチを作動させたことに応答して、前記コード生成器が前記レーザー光を変調する、
ことを特徴とする請求項１に記載の電子機器用遠隔制御装置。
【請求項３】
前記ユーザが前記電源オンスイッチを作動させたことに応答して、前記コード生成器が赤外光源を変調する、
ことを特徴とする請求項１に記載の電子機器用遠隔制御装置。
【請求項４】
前記ユーザが前記電源オンスイッチを作動させたことに応答して、前記コード生成器が無線周波数信号源を変調する、
ことを特徴とする請求項１に記載の電子機器用遠隔制御装置。
【請求項５】
タイマをさらに備え、前記コード生成器が、前記タイマにより設定された時間にわたって前記電源オンコードを生成する、
ことを特徴とする請求項１に記載の電子機器用遠隔制御装置。
【請求項６】
カウンタをさらに備え、前記コード生成器が、前記カウンタにより設定された特定の数の電源オンコードを生成する、
ことを特徴とする請求項１に記載の電子機器用遠隔制御装置。
【請求項７】
前記遠隔制御装置が、テレビを制御するように構成される、
ことを特徴とする請求項１に記載の電子機器用遠隔制御装置。
【請求項８】
ユーザにより作動可能な電源オンスイッチと、
ユーザが前記電源オンスイッチを作動させたことに応答して、レーザー光をオンにするレーザー光源と、
ユーザが前記電源オンスイッチを作動させたことに応答して、反復する一連の電源オンコードを生成するコード生成器と、
を備え、前記ユーザが前記電源オンスイッチを作動させた結果、前記コード生成器が、前記レーザー光源、赤外光源及び無線周波数光源のうちの少なくとも１つを変調し、これにより前記コード生成器とレーザー光源が共同して、被制御装置をオンにする、
ことを特徴とするテレビ用遠隔制御装置。
【請求項９】
遠隔制御装置内のレーザーから光エネルギーを受け取って、前記光エネルギーを電気エネルギーに変換するエネルギー変換器と、
前記遠隔制御装置から電源オンコードを受け取る遠隔制御コードインタプリタと、
を備え、前記エネルギー変換器からの前記電気エネルギーを使用して、前記遠隔制御コードインタプリタに電力を供給する、
ことを特徴とする遠隔制御可能テレビ。
【請求項１０】
前記電気エネルギーが、前記エネルギー変換器によって起動された電源から前記遠隔制御コードインタプリタに供給される、
ことを特徴とする請求項９に記載の遠隔制御可能テレビ。
【請求項１１】
前記電源オンコードが、前記制御コードインタプリタの特定の作動時間内に受け取られる、
ことを特徴とする請求項９に記載の遠隔制御可能テレビ。
【請求項１２】
前記電源オンコードを受け取ると、電源が起動して前記テレビを作動させる、
ことを特徴とする請求項９に記載の遠隔制御可能テレビ。
【請求項１３】
レーザー光を受け取って、該レーザー光を前記エネルギー変換器に導く１又はそれ以上のターゲットをさらに備える、
ことを特徴とする請求項９に記載の遠隔制御可能テレビ。
【請求項１４】
遠隔制御可能テレビであって、
遠隔制御装置内のレーザーからの光エネルギーをターゲットにおいて受け取って、前記光エネルギーを電気エネルギーに変換するエネルギー変換器と、
電源と、
前記遠隔制御装置から電源オンコードを受け取る遠隔制御コードインタプリタと、
を備え、前記電気エネルギーが、前記エネルギー変換器によって起動された電源から前記遠隔制御コードインタプリタに供給され、
前記電源オンコードが、前記制御コードインタプリタの特定の作動時間内に受け取られ、
前記エネルギー変換器からの前記電気エネルギーを使用して、前記遠隔制御コードインタプリタに電力を供給し、
前記電源オンコードを受け取ると、前記電源が起動して前記テレビを作動させる、
ことを特徴とする遠隔制御可能テレビ。
【請求項１５】
ユーザにより作動可能な電源オンスイッチと、
ユーザが前記電源オンスイッチを作動させたことに応答して、レーザー光をオンにするレーザー光源と、
を備え、これにより前記レーザー光源が、被遠隔制御装置内の回路をオンにするために、この回路に電力を供給する、
ことを特徴とする電子機器用遠隔制御装置。
【請求項１６】
前記ユーザが前記電源オンスイッチを作動させたことに応答して前記レーザー光を変調するコード生成器をさらに備える、
ことを特徴とする請求項１５に記載の電子機器用遠隔制御装置。
【請求項１７】
前記ユーザが前記電源オンスイッチを作動させたことに応答して赤外光源を変調するコード生成器をさらに備える、
ことを特徴とする請求項１５に記載の電子機器用遠隔制御装置。
【請求項１８】
前記ユーザが前記電源オンスイッチを作動させたことに応答して無線周波数信号源を変調するコード生成器をさらに備える、
ことを特徴とする請求項１５に記載の電子機器用遠隔制御装置。
【請求項１９】
タイマ及びコード生成器をさらに備え、前記コード生成器が、前記タイマにより設定された時間にわたって電源オンコードを生成する、
ことを特徴とする請求項１に記載の電子機器用遠隔制御装置。
【請求項２０】
カウンタと、該カウンタにより設定された特定の数の電源オンコードを生成するコード生成器とをさらに備える、
ことを特徴とする請求項１に記載の電子機器用遠隔制御装置。
【請求項２１】
前記遠隔制御装置が、テレビを制御するように構成される、
ことを特徴とする請求項１に記載の電子機器用遠隔制御装置。
【発明の詳細な説明】
【技術分野】
【０００１】
〔関連出願との相互参照〕
本出願は、本出願と同日付けで出願された、Ｓｈｉｎｔａｎｉ他に付与された「待機電力ゼロＲＦ制御式装置」という名称の整理番号ＳＹ−０２２７９．０１、米国特許出願公開第１２／４５９、５６９号に関連し、この出願は引用により本出願に組み入れられる。
【０００２】
〔著作権及び商標表示〕
本特許文書の開示部分は、著作権保護の対象内容を含む。著作権の権利所有者は、合衆国特許商標庁の特許ファイル又は記録内に表されるとおりに特許文書又は特許開示を複製することには異議を唱えないが、それ以外は全ての著作権を留保する。商標は、これらのそれぞれの所有者の所有物である。
【背景技術】
【０００３】
（テレビ、ビデオディスクプレイヤのような）家庭用娯楽機器などの現在の被遠隔制御電子機器は、電源「オフ」時にも少量の電力を消費する。これは、テレビ（ＴＶ）などの標準的な「オフ」モードが、むしろ「待機」モードに類似しているためである。この電力は、遠隔制御装置の使用によって機器を完全に起動させる準備に必要であることが分かっている。従って、機器は、少量の待機電力を利用して遠隔制御コード受信機を作動させる。このようにして、ユーザが遠隔制御装置上の「オン」又は「オン／オフ」ボタンを押したときに、機器の遠隔制御コード受信機回路が起動して、（ＴＶなどの）機器を完全に起動させる準備をする。
【発明の概要】
【発明が解決しようとする課題】
【０００４】
残念ながら、このような遠隔制御コード受信機回路の消費電力は非常に小さい（多くの場合、約１００ｍワットの範囲内）が、家庭内の複数の装置と何百万もの世帯を掛け算した場合、総エネルギー消費量は極めて大きくなり、環境を損なう一因となる。
【０００５】
このエネルギー消費は、機器の電源スイッチを完全に切るか又は機器のプラグを抜ことによってゼロに削減することができるが、実際にはこれを厭わない人々はほとんどおらず、またこうすることによって遠隔制御による起動の可能性は無くなってしまう。
【課題を解決するための手段】
【０００６】
添付の図面と併せて行う以下の詳細な説明を参照することにより、構成及び動作方法を示す特定の例示的な実施形態、並びに目的及び利点を最も良く理解することができる。
【図面の簡単な説明】
【０００７】
【図１】本発明のいくつかの実施形態によるシステムのブロック図例である。
【図２】本発明のいくつかの実施形態によるシステムのブロック図例である。
【図３】本発明のいくつかの実施形態によるシステムのさらに詳細なブロック図例である。
【図４】本発明のいくつかの実施形態による、被制御機器において実施される処理例のフロー図である。
【図５】本発明のいくつかの実施形態による、遠隔制御装置において実施される処理例のフロー図である。
【図６】本発明のいくつかの実施形態による被遠隔制御ＴＶ装置の複数のターゲットの説明例である。
【発明を実施するための形態】
【０００８】
本発明は、多くの異なる形の実施形態が可能であるが、このような実施形態の開示は原理の一例として見なすべきであり、図示及び説明する特定の実施形態に本発明を限定することを意図するものではないという理解の下、図面に特定の実施形態を示し本明細書で詳細に説明する。以下の説明では、図面のいくつかの図における同様の、類似の又は一致する部分については同じ参照番号を使用して説明する。
【０００９】
本明細書で使用する「１つの（英文不定冠詞）」という用語は、１又は１よりも多くの、と定義される。本明細書で使用する「複数の」という用語は、２又は２よりも多い、と定義される。本明細書で使用する「別の」という用語は、少なくとも第２の又はそれ以上の、と定義される。本明細書で使用する「含む（ｉｎｃｌｕｄｉｎｇ）」及び／又は「有する（ｈａｖｉｎｇ）」という用語は、「備える（ｃｏｍｐｒｉｓｉｎｇ）」（すなわち包括的な用語）と定義される。本明細書で使用する「結合される」という用語は、「接続される」と定義されるが、必ずしも直接的な、また必ずしも機械的な接続ではない。
【００１０】
本明細書を通じて、「１つの実施形態」、「いくつかの実施形態」、「ある実施形態」、「ある例」、「ある実施構成」、又は同様の用語への言及は、実施形態又は例又は実施構成に関連して説明する特定の特徴、構造又は特性が、本発明の少なくとも１つの実施形態、例又は実施構成に含まれることを意味する。従って、本明細書を通じて至るところに出現するこのような語句は、必ずしも全てが同じ実施形態、例又は実施構成について言及するものではない。さらに、上記の特定の特徴、構造又は特性を、本発明を限定することなく１又はそれ以上の実施形態、例、及び実施構成にあらゆる好適な態様で組み合わせることができる。
【００１１】
本明細書で使用する「又は」という用語は包括的なものとして解釈すべきであり、すなわちいずれか１つ又はあらゆる組み合わせを意味する。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組み合わせが何らかの点で本質的に互いに相容れない場合にのみ生じる。
【００１２】
いくつかの実施構成によれば、レーザーを含む遠隔制御装置を使用して、電源をオンにしてＴＶなどの機器を起動できるマイクロスイッチを駆動するのに充分な光エネルギーを集中させることができる。このようにして、遠隔エネルギーの射出を使用して装置の電源をオンにする。
【００１３】
いくつかの実施形態は、機械式スイッチを利用して電子装置の「真のゼロ電力」消費を達成するという問題に取り組む。機械式スイッチを使用して装置をオフにする場合、遠隔制御は、装置をオンするために使用できないという点で無用とみなされる。ユーザは、機器に配線で又は別様に取り付けられた機械式スイッチを押さなければならない。しかしながら、上述したように、テレビ又はその他の遠隔制御対応機器の電力を制御するために、遠隔制御装置の使用を控えることを厭わない人はほとんどいない。いくつかの実施形態は、機械式スイッチ、又は機器の遠隔制御信号受信機回路に電力を供給するために充電しなければならない蓄積電源を使用せずに、遠隔制御を使用して装置をオンにし、それにもかかわらず真の「ゼロ電力」消費状態を達成できるようにする。本明細書の目的上、実例としてテレビ（ＴＶ）を使用するが、これは非限定的な例である。本発明による実施構成では、他の被遠隔制御装置を使用することもできる。
【００１４】
いくつかの実施構成によれば、レーザーを使用して、光センサに電力を集中させてＴＶに電力を供給し、電力供給装置をオンにする。ＴＶ又は少なくともＴＶの遠隔制御コード受信機がオンになると、相変わらず既存のＩＲ／ＲＦ技術を使用することができる。ＴＶを直接的又は間接的にオンにするための処理では、主にレーザーエネルギーを使用する。これを行うためにＴＶが必要とする静止電力はゼロであるため、このＴＶは真の待機電力ゼロＴＶである。
【００１５】
レーザーは、リレー又はスイッチ（又は機能的同等物）を閉じる回路を駆動する（電力供給する）ためのエネルギーを与えるのに充分な光エネルギーをＴＶに集中させることができる。これにより、ＴＶの電源を落としたときに電力供給装置を完全にオフにし、従って装置内のすべての回路をオフにして、電力供給装置をオンにするための手段を遠隔制御を通じて提供できるようになる。回路は、電力供給装置をオンにすることができる別の回路をこの回路によってトリガできるように結合されたレーザーに由来する光エネルギーによって起動される。この結果、電力供給装置は、少なくとも遠隔制御コード受信機回路を起動させることができる。他の実施構成では、機器の（内部タイムクロックなどの）いくつかの機能に待機中に電力を供給することができるが、たとえＴＶの電力がゼロまで低減しないとしても、電力を実質的に低減することができる。
【００１６】
いくつかの実施形態では、音量、チャネルのアップ／ダウンなどの他の機能を実施するためにレーザーの色を使用して、別個のＩＲ又はＲＦ回路の必要性を無くすことができ、或いは電源オン機能のためだけにレーザーを使用することもできる。この概念は、遠隔制御又はその他の遠隔シグナリング方法に依拠してオン又はオフを行うあらゆる装置に適用可能である。例として、ＴＶ、オーディオシステム、家庭用娯楽システム、又はその他のいずれかの種類の電気機器が挙げられる。
【００１７】
ところで、多くの場合、会議室にはプロジェクタが存在する。プロジェクタには遠隔制御装置が付いており、この遠隔制御装置は、スクリーン上のプレゼンテーションを指し示すためのレーザーを含むことがある。この同じレーザーを、プロジェクタをオンにするために使用して２つの役割を果たすようにすることができる。機器は、ある人物が容易に狙いを定めることができるようにする適当なサイズのターゲットウィンドウを有するべきである。ターゲットウィンドウは、プロジェクタの後部、或いはテレビ又はその他の機器の前部カバー上に存在してもよく、或いは離れたところに存在してもよい。例えば、機器の複数の面などに１つよりも多くのターゲットウィンドウが存在することもできる。
【００１８】
また、レーザーを使用することにより、ショールームなどのＴＶが溢れた部屋の中で１台のＴＶを遠隔制御するための便利な方法を提供することもできる。レーザー光は非常に指向性が高いので、ＴＶのターゲット化は非常に選択性が高い。
【００１９】
１つの単純な実施構成では、装置が周囲光によって容易にトリガされないように配置されたエンクロージャ又は光パイプのいずれかを備えることができる光サイリスタ又は同様の装置を使用して回路を実現することができる。狭く集束したビームのみが装置をトリガすることができる。いくつかの実施構成ではレーザーを変調することもでき、従って装置に電力を供給するために光エネルギーを提供することに加え、この変調により２次レベルの安全性が得られ、すなわち起動するために、レーザー内で変調された特定のシーケンス又は情報が必要になる。これにより、機器が「周囲光」又は日光によって意図せず起動するのを防ぐことができる。当業者には、本教示を検討すればすぐに他の実施形態が浮かぶであろう。
【００２０】
図１に、本発明による実施形態例をブロック図形式で示している。この例では、遠隔制御装置１０が、テレビ又はその他の被制御装置１４と通信する。いくつかの実施形態によれば、レーザーなどの遠隔制御エネルギー源２６を使用して（光電回路素子などの）エネルギー変換装置を刺激し、この結果この装置が３０におけるラッチを閉じる。エネルギー源２６は、光電素子などのエネルギー変換器回路を励起して電力供給装置３４をオンにする。レーザー光によって励起された結果、エネルギー変換器３０及びこの関連するラッチがオンになると、被遠隔制御装置１４に電力が印加される。オンボタン２８が作動されると、オン信号が供給される。
【００２１】
遠隔レーザーエネルギー源２６を使用してエネルギー変換器及びラッチ３０に電力を供給することで、被遠隔制御装置１４をゼロ又はほぼゼロにすることができ、待機電力がいらなくなる。
【００２２】
図２には、本発明による実施形態例をブロック図形式で示している。この例では、遠隔制御装置１０が、テレビ又はその他の被制御装置１４と通信する。いくつかの実施構成では、無線周波数（ＲＦ）又は赤外線（ＩＲ）信号のいずれかを使用して公知の態様で通信するために、複数のコード化法を使用することができる。このことを、電源オンコード生成器１８、及び遠隔制御コードインタプリタ又は受信機２２として示している。いくつかの実施形態によれば、レーザーなどの遠隔制御エネルギー源２６を使用して（光電回路素子などの）エネルギー変換装置を刺激し、この結果この装置が３０におけるラッチを閉じる。一部の実施構成では、レーザー光信号自体のコード化を使用して、誤った電源オンを避けることができる（この場合、生成器１８がエネルギー源２６を変調し、エネルギー変換器３０がインタプリタ２２へ情報を送信する）が、図示のような他の実施構成では、エネルギー源２６が光電素子４０などのエネルギー変換器回路を励起したら、別個のＲＦ又はＩＲコードを送信することができる。レーザー光によって励起された結果、エネルギー変換器３０及びこの関連するラッチがオンになると、レーザー光に組み込まれた（すなわち、コードワード又はその他のコードに基づいてレーザー光を変調する）コード、又は１８から送信された別個のＲＦ又はＩＲコードのいずれかを解釈する遠隔制御コードインタプリタ２２に電力が印加される。遠隔制御コードインタプリタ２２は、適正な電源オンコードを受け取ったと見なすと、電力供給装置３４へ制御信号を送信して、被制御装置１４の回路の残り部分をオンにする。
【００２３】
遠隔レーザーエネルギー源２６を使用して、付随する（又は組み込まれた）コードを解釈するのに十分な電力を得ることで、被遠隔制御装置の電力をゼロ又はほぼゼロにすることができ、遠隔制御コードインタプリタ２２を動作状態に保って電源オンコマンドを待つのに必要な待機電力がいらなくなる。電源オンコード生成器１８及びレーザー２６は、ユーザが遠隔制御装置に共通の電源オンボタン２８を押す（すなわち、一般的には瞬時接触スイッチである電源オンスイッチを作動させる）と作動する。
【００２４】
図３には、図２の回路のより詳細な実施構成を示しており、レーザー２６が（レーザーダイオード、太陽電池素子、さらには可能性として、レーザーからの光エネルギーが当たると電気出力を生成し、或いはレーザーからの光エネルギーが当たると回路を直接閉じるために、レーザー光に反応して温まって曲がる熱電対又はバイメタルストリップなどの）１又はそれ以上の光電素子４０を照明するように示している。オンスイッチ２８（又はオン／オフスイッチ）が作動すると、遠隔電源オンコード生成器１８及びレーザー２６が励起されて、電源オンコード及びレーザーエネルギーを生成する。複数の素子、又は単一の素子への複数のレーザー光経路を使用して、レーザーが作用できる機器上の複数の場所にターゲットを提供する。いくつかの実施構成では、１又は複数の素子をフード内に封入して、（単複の）光電素子４０を励起することに起因して迷光源が生じる可能性を最小限に抑えることができる。いくつかの実施構成では、光フィルタを使用して、同様の目的で適切な波長の光のみを選択的に使用することもできる。
【００２５】
光電素子においてレーザー光がエネルギーを生成すると、（一例として相互接続されたトランジスタのペアの形で示す）ラッチ回路が電力供給装置３４への閉スイッチ回路を形成し、結果として遠隔制御コードインタプリタが起動する。次に、この遠隔制御コードインタプリタ２２が、遠隔制御装置から有効な電源オンコードが（独立信号又はレーザー信号に組み込まれた信号のいずれかとして）受け取られているかどうかを確認する。受け取られている場合、電力供給装置が被制御装置１４の残り部分を励起するように仕向ける信号が電力供給装置に送信される。しかしながら、指定時間内に電源オンコードが受け取られなければ、３０におけるラッチがリセットされ、電力供給装置が遠隔制御コードインタプリタの電源を切る。
【００２６】
この例では、レーザー光が感光性素子上を照らし、ＭＯＳＦＥＴソースとそのゲートの間に電圧を生じて、ＭＯＳＦＥＴをオンにする。単一のＭＯＳＦＥＴ、又は平行に配列された複数のＭＯＳＦＥＴを使用して電力供給装置を制御することもできる。感光性素子は、感光性ダイオード、太陽電池素子などとすることができる。感光性素子を使用して、逆並列サイリスタ、シリコン制御整流器、又はＭＯＳＦＥＴトランジスタなどのトランジスタをオンにして負荷を切り替えることもできる。他の変形例も可能である。
【００２７】
なお、現在のデジタルテレビでは、これらのテレビの複雑性に起因して、何秒もかかることがある起動サイクルを実行するような指示がしばしば行われる。せっかちなユーザは、電源オン時の遅延に慣れるまでは、電源オンボタンを複数回実行することがある。従って、いくつかの実施構成では、「オン」ボタンが「オフ」ボタンとしても機能する場合、装置の起動が完了した後のある時点まで、例えば限定的な意味ではないが、２〜４秒の遅延まで、システムが「オン／オフ」コマンドを受け付けないことが望ましい場合がある。
【００２８】
図４に、ＴＶなどの被制御装置１４の動作を、１０４から開始する処理１００として示す。光電素子４０が、３０におけるラッチを起動するほど十分に高いエネルギーのレーザー光を（ソリッドステートリレーと同様の方法で）検出すると、１１２において電力供給装置３４が遠隔制御受信機に対してオンになり、１１４において遠隔制御コード受信機／インタプリタ２２内のタイマが起動する。次に、１１８において、遠隔制御コード受信機が、レーザー信号に組み込まれた又は別個のＩＲ又はＲＦ信号としての電源オンコードを探す。１１８において、タイマにより設定された時間中に電源オンコードを受け取った場合、１２２において、被制御装置に全電力が印加される。
【００２９】
上述したように、電源オンを複数回試みることにより、起動が完了する前に電源が意図せずオフにならないように保証することが望ましい。従って、１２６において、ＴＶが起動したかどうかを判定するためのチェックが行われ、起動していれば、１３４において電源オフコードの受け取りが認められるようになるまで、１３０において約数秒の遅延が課される。電源オフコードが受け取られなければ、被制御装置は、１３４において電源オフコードを受け取るまで、１３８において通常の「オン」動作で動作する。
【００３０】
好ましい実施形態では、１３４において電源オフコードを受け取った場合、全電力を利用できるので、レーザーが光電素子を励起する必要はない。１３４において電源オフコードを受け取ると、１３８において３０のラッチがリセットされ、１４２において電力供給装置が停止し、処理は１０８に戻って次の電源オン信号を待つ。
【００３１】
１１４において開始したタイマが１４６において切れる前に、１１８において電源オンコードが受け取られなかった場合、この電源オンは制御コード受信機を誤って起動させるものであると見なされるので、制御は１３８へ移る。これによりラッチがリセットされ、電力供給装置が停止して次の電源オンを待つ。
【００３２】
図５に、被遠隔制御装置１４をオンにする処理における遠隔制御装置１０の動作について説明する２０２から開始する処理２００をフロー図形式で示す。２０６において、ユーザが、（ＴＶなどの）被制御装置上のターゲットにレーザーを向ける。２１０において、レーザーの電源オンしたとき、又は「オン」ボタンを解放したときのいずれかにタイマが起動して時間を設定し、この時間中、２１４において、遠隔制御装置がある時間（又は電源オンコードの総数）にわたっていくつかの電源オンコードを送信する。２１８において、「オン」ボタンの解放と時間Ｔ（又は電源オンコードのカウント）の時間切れの両方が生じた場合、２２２において送信が停止され、２２６において処理が終了する。本発明による実施形態から逸脱することなく、電源オン信号などの受け取りを認識するための両方向通信などの多くの変形例が可能である。
【００３３】
図６は、ユーザがいずれかの都合の良いターゲットにレーザーを向けることができるようにＴＶディスプレイの周辺に複数存在するターゲット２５０を示している。これらのターゲットは、複数の並列センサ、又は１つのセンサへの光導波路のいずれかを含むことができる。また、これらのターゲットを表面に組み込み、及び／又は光学的にフィルタ処理して、様々な照明条件を電源オンレーザー信号として誤って解釈することを最小限に抑えることができる。任意に感度調整を行ってこのような誤りを最小限に抑えることもでき、或いはＴＶ１４に電気的につながった、離れて位置するターゲットを提供することもできる。当業者には、本教示を検討すればすぐに他の変形例が浮かぶであろう。
【００３４】
従って、いくつかの実施構成による電子機器用遠隔制御装置は、ユーザにより作動可能な電源オンスイッチを有する。ユーザが電源オンスイッチを作動させたことに応答して、レーザー光源がレーザー光をオンにする。ユーザが電源オンスイッチを作動させたことに応答して、コード生成器が、電源オンコードを生成してこれを送信する。コード生成器とレーザー光源が共同して、被制御装置をオンにする。
【００３５】
いくつかの実施構成では、ユーザが電源オンスイッチを作動させたことに応答して、コード生成器がレーザー光を変調する。いくつかの実施構成では、ユーザが電源オンスイッチを作動させたことに応答して、コード生成器が赤外光源を変調する。いくつかの実施構成では、ユーザが電源オンスイッチを作動させたことに応答して、コード生成器が無線周波数信号源を変調する。いくつかの実施構成では、タイマが提供され、このタイマにより設定された時間にわたってコード生成器が電源オンコードを生成する。いくつかの実施構成では、カウンタが提供され、コードが、カウンタにより設定された特定の数の電源オンコードを生成する。いくつかの実施構成では、遠隔制御装置がテレビを制御するように構成される。
【００３６】
テレビ用遠隔制御装置の別の実施構成は、ユーザにより作動可能な電源オンスイッチを有する。ユーザが電源オンスイッチを作動させたことに応答して、レーザー光源がレーザー光をオンにする。ユーザが電源オンスイッチを作動させたことに応答して、コード生成器が、反復する一連の電源オンコードを生成し、この場合、ユーザが電源オンスイッチを作動させた結果、コード生成器が、レーザー光源、赤外光源及び無線周波数光源のうちの少なくとも１つを変調する。コード生成器とレーザー光源が共同して、被制御装置をオンにする。
【００３７】
いくつかの実施形態による遠隔制御可能テレビは、遠隔制御装置のレーザーから光エネルギーを受け取ってこの光エネルギーを電気エネルギーに変換するエネルギー変換器を備える。遠隔制御コードインタプリタが、遠隔制御装置から電源オンコードを受け取る。エネルギー変換器からの電気エネルギーを使用して、遠隔制御コードインタプリタに電力を供給する。
【００３８】
いくつかの実施構成では、エネルギー変換器によって起動された電源から遠隔制御コードインタプリタに電気エネルギーが供給される。いくつかの実施構成では、制御コードインタプリタの特定の作動時間内に電源オンコードが受け取られる。いくつかの実施構成では、電源オンコードを受け取ると、電源が起動してテレビを作動させる。いくつかの実施構成では、レーザー光を受け取ってこれをエネルギー変換器へ導く１又はそれ以上のターゲットが提供される。
【００３９】
遠隔制御可能テレビの別の実施構成は、遠隔制御装置のレーザーからの光エネルギーをターゲットにおいて受け取ってこの光エネルギーを電気エネルギーに変換するエネルギー変換器と電源とを備える。遠隔制御コードインタプリタが遠隔制御装置から電源オンコードを受け取り、エネルギー変換器によって起動された電源から遠隔制御コードインタプリタに電気エネルギーが供給される。電源オンコードは、制御コードインタプリタの特定の作動時間内に受け取られる。エネルギー変換器からの電気エネルギーを使用して、遠隔制御コードインタプリタに電力が供給され、電源オンコードを受け取ると、電源が起動してテレビを作動させる。
【００４０】
本明細書で説明したいくつかの実施形態は、いずれかの適当な有形電子憶媒又はコンピュータ可読記憶媒体上に記憶できる、フロー図の形で広義に上述したプログラミング命令を実行するハードウェア又はソフトウェアプロセッサを使用して実施され又は実施することができる。しかしながら、当業者であれば、本教示を検討するとすぐに、本発明の実施形態から逸脱することなく上述の処理をあらゆる数の変形形態で実施できることを理解するであろう。例えば、多くの場合、本発明のいくつかの実施形態から逸脱することなく、実施されるいくつかの動作の順序を変更することができ、さらなる動作を追加することができ、或いは動作を削除することもできる。本発明のいくつかの実施形態から逸脱することなく、エラートラッピングを追加及び／又は強化することができ、ユーザインターフェイス及び情報提示の変形例を作成することもできる。このような変形例は想定されており、同等物と見なされる。
【００４１】
いくつかの例示的な実施形態について説明したが、当業者には、上述の説明に照らして多くの代替、修正、置換、及び変形が明らかになることが明白である。
【符号の説明】
【００４２】
１０  遠隔制御装置
１４  被遠隔制御装置（テレビなど）
２６  遠隔制御エネルギー源
２８  オン
３０  エネルギー変換器及びラッチ
３４  電力供給装置
【図１】
2012531174.tif 000003
【図２】
2012531174.tif 000004
【図３】
2012531174.tif 000005
【図４】
2012531174.tif 000006
【図５】
2012531174.tif 000007
【図６】
2012531174.tif 000008
【国際調査報告】
2012531174.tif 000009
2012531174.tif 000010